(57)【要約】【課題】圧縮機を使用した冷蔵庫であっても、薄型化を達成しながら、幅がある程度大きくかつ高さの高い貯蔵物を立てた状態で収納できるようにする。【解決手段】冷蔵庫本体５の貯蔵室７と、貯蔵室７の開口部７ａを開閉する扉３と、貯蔵室７の外部の冷蔵庫本体５の後方下部に形成され、圧縮機２１が収容される機械室１９と、機械室１９に対応して貯蔵室７の前方に膨出する冷蔵庫本体５の膨出部１７とを有する。貯蔵室７は、膨出部１７の上方に形成される後方貯蔵室７Ｒと、後方貯蔵室７Ｒ及び膨出部１７の前方に形成される前方貯蔵室７Ｆとで構成される。前方貯蔵室７Ｆは、扉３の内面３ａと、膨出部１７及び後方貯蔵室７Ｒの前面との間に形成される縦長の直方体形状である。【選択図】図５
2019143827.tif 000002
【特許請求の範囲】
【請求項１】
冷蔵庫本体に設けられる貯蔵室と、
前記貯蔵室の開口部を開閉する扉と、
前記貯蔵室の外部の前記冷蔵庫本体の後方下部に形成され、圧縮機が収容される機械室と、
前記機械室に対応して前記貯蔵室の前方に膨出する前記冷蔵庫本体の膨出部と、を有し、
前記貯蔵室は、前記膨出部の上方に形成される後方貯蔵室と、前記後方貯蔵室及び前記膨出部の前方に形成される前方貯蔵室と、で構成され、
前記前方貯蔵室は、前記扉の内面と、前記膨出部及び前記後方貯蔵室の前面との間に形成される縦長の直方体形状であることを特徴とする冷蔵庫。
【請求項２】
前記貯蔵室の上部に冷却器が設けられ、前記冷却器の冷気放出口が、前記前方貯蔵室の前記扉側に位置していることを特徴とする請求項１に記載の冷蔵庫。
【請求項３】
前記扉の内面は、前記冷気放出口から放出される冷気が流れる冷気流路面を備えていることを特徴とする請求項２に記載の冷蔵庫。
【請求項４】
前記扉は、その内面と平行な薄板形状の貯蔵物収納空間を備えていることを特徴とする請求項１ないし３のいずれか１項に記載の冷蔵庫。
【請求項５】
前記貯蔵物収納空間を形成する空間形成部材は、前記貯蔵室の内壁面を形成する部材よりも熱伝導率の高い材料で構成され、前記貯蔵物収納空間の開口部は、前記貯蔵室の上部に設けられた冷却器の冷気放出口の冷気放出方向に臨んでいることを特徴とする請求項４に記載の冷蔵庫。
【請求項６】
前記貯蔵物収納空間を形成する空間形成部材は、前記貯蔵室の内壁面を形成する部材に対し、熱伝導率が同等もしくは低い材料で構成され、前記貯蔵物収納空間の開口部は、前記貯蔵室の上部に設けられた冷却器の冷気放出口から放出される冷気の流入が阻害されていることを特徴とする請求項４に記載の冷蔵庫。
【請求項７】
前記前方貯蔵室の左右方向の一部に、貯蔵物を載せる棚部材が設けられていることを特徴とする請求項１ないし６のいずれか１項に記載の冷蔵庫。
【発明の詳細な説明】
【技術分野】
【０００１】
本発明は、冷蔵庫、特にホテルや病院等の部屋に設置される小型の冷蔵庫に関する。
【背景技術】
【０００２】
ホテルや病院向けの小型の冷蔵庫は、一般家庭用の冷蔵庫に比較して、貯蔵室に対する圧縮機設置領域が占める割合が大きく、貯蔵空間が制限される（特許文献１参照）。
【先行技術文献】
【特許文献】
【０００３】
【特許文献１】特開２００６−１３３２８１号公報
【発明の概要】
【発明が解決しようとする課題】
【０００４】
従来の小型の冷蔵庫は、例えば２Ｌ入りのペットボトルなど、幅がある程度大きくかつ高さの高い貯蔵物を立てた状態で収納する設計となっていない。幅がある程度大きくかつ高さの高い貯蔵物を立てた状態で収納するには、圧縮機設置領域の前方の貯蔵室の奥行寸法を大きくする必要があり、小型の冷蔵庫に要求される薄型化を達成できない。
【０００５】
そこで本発明は、圧縮機を使用した冷蔵庫であっても、薄型化を達成しながら、幅がある程度大きくかつ高さの高い貯蔵物を立てた状態で収納できるようにすることを目的としている。
【課題を解決するための手段】
【０００６】
本発明の実施の形態の冷蔵庫は、冷蔵庫本体に設けられる貯蔵室と、前記貯蔵室の開口部を開閉する扉と、前記貯蔵室の外部の前記冷蔵庫本体の後方下部に形成され、圧縮機が収容される機械室と、前記機械室に対応して前記貯蔵室の前方に膨出する前記冷蔵庫本体の膨出部と、を有し、前記貯蔵室は、前記膨出部の上方に形成される後方貯蔵室と、前記後方貯蔵室及び前記膨出部の前方に形成される前方貯蔵室と、で構成され、前記前方貯蔵室は、前記扉の内面と、前記膨出部及び前記後方貯蔵室の前面との間に形成される縦長の直方体形状である。
【図面の簡単な説明】
【０００７】
【図１】本発明の実施形態を示す冷蔵庫の正面図である。
【図２】図１の冷蔵庫の扉を省略した内部構造を示す正面図である。
【図３】図１の冷蔵庫の扉を省略した内部構造を示す斜視図である。
【図４】図１の冷蔵庫の上壁を省略した貯蔵室内の内部構造を示す平面図である。
【図５】図２に扉を加えた状態のＡ−Ａ断面図である。
【図６】図１の冷蔵庫に適用される棚部材の不使用状態での斜視図である。
【図７】図１の冷蔵庫に適用される棚部材の使用状態での斜視図である。
【図８】図２の不使用状態の棚部材を使用状態とした場合の冷蔵庫の正面図である。
【図９】図３の不使用状態の棚部材を使用状態とした場合の冷蔵庫の斜視図である。
【図１０】図４の不使用状態の棚部材を使用状態とした場合の冷蔵庫の平面図である。
【図１１】図２に対して貯蔵物を収納した状態を示す正面図である。
【図１２】図３に対して貯蔵物を収納した状態を示す斜視図である。
【図１３】図４に対して貯蔵物を収納した状態を示す平面図である。
【図１４】図８に対して貯蔵物を収納した状態を示す正面図である。
【図１５】図９に対して貯蔵物を収納した状態を示す斜視図である。
【図１６】図１０に対して貯蔵物を収納した状態を示す平面図である。
【発明を実施するための形態】
【０００８】
以下、本発明の実施の形態を図面に基づき説明する。なお、以下の説明において、冷蔵庫１における「左右方向」は、図１に示すように冷蔵庫１を正面から見たときの左右方向で、「前後方向」は、冷蔵庫１の前面側を前、後面側（奥側）を後とした前後方向である。
【０００９】
冷蔵庫１は、例えばホテルや病院などの部屋に設置される小型の冷蔵庫である。図２〜図４は、図１の冷蔵庫１の前面に設けてある扉３を省略した内部構造を示している。冷蔵庫１は、冷蔵庫本体５を備え、冷蔵庫本体５の内部に貯蔵室７が形成されている。冷蔵庫本体５は、外側板からなる外箱と、内側板からなる内箱とを有し、外箱と内箱との間に断熱材を配置した断熱構造体である。扉３も断熱構造体である。
【００１０】
扉３は、図５に示すように、全体として板状であり、貯蔵室７側の内面３ａには、厚さの薄い貯蔵物を収納する貯蔵物収納空間としての薄板形状のポケット４を備えている。ポケット４は、薄板状の空間形成部材としてのポケット部材６によって形成される。ポケット部材６は、下端及び左右両側縁が内面３ａの突起部３ｂに固定され、ポケット４は上端部に開口部４ａを備えている。開口部４ａは、貯蔵室７の上下方向ほぼ中央に位置しているが、貯蔵室７の上下方向中央より上方あるいは下方でもよい。開口部４ａから、厚さの薄い例えば袋入りのおつまみや、病院であれば薬や湿布剤を収納する。ポケット部材６（ポケット４）は、扉３の左右方向のほぼ全域にわたり設けてもよく、一部に設けてもよい。ポケット部材６（ポケット４）は、左右方向あるいは上下方向に複数設けてもよい。
【００１１】
貯蔵室７は、冷蔵庫１の前面側に開口部７ａが形成され、開口部７ａは扉３によって開閉される。扉３は、例えば図１中で右側端部の図示しないヒンジを介して左右に開閉する。冷蔵庫本体５は、上壁５ａと、下壁５ｂと、左側壁５ｃと、右側壁５ｄと、後壁５ｅとを備えており、これら各壁に囲まれた内側に貯蔵室７が形成される。
【００１２】
貯蔵室７の上方には、隔壁９を介して冷却器１１が設けられている。隔壁９は、図５に示すように、前方から後方に向けて下方となるよう傾斜しており、冷却器１１側から流れ落ちる結露水を受けた後、受皿１３及び配管１５を介して貯蔵室７の外部に排出する。冷却器１１は、図２、図３に示すように、上壁５ａ及び右側壁５ｄのそれぞれの内面に支持される。
【００１３】
図５に示すように、冷却器１１は、後方及び前方に後方冷気放出口１１ａ及び前方冷気放出口１１ｂをそれぞれ備えている。後方冷気放出口１１ａは、後壁５ｅの近傍に位置している。後方冷気放出口１１ａから放出された冷気は、矢印Ｐで示すように、後壁５ｅの内面に沿って貯蔵室７の下方に向けて流れる。
【００１４】
前方冷気放出口１１ｂは、貯蔵室７の扉３側で扉３近傍に位置している。前方冷気放出口１１ｂから放出された冷気は、矢印Ｑで示すように、扉３の内面３ａに沿って下方に向けて流れ、開口部４ａからポケット４内に一部が流入し、他は貯蔵室７内に流れる。したがって、扉３の内面３ａは、前方冷気放出口１１ｂから放出される冷気が流れる冷気流路面を備えている。
【００１５】
このように冷蔵庫１は、冷却器１１からの冷気を自然対流によって循環させる直冷式（自然対流式）である。なお、内面３ａは、後述するポケット部材６の貯蔵室７側の面を含むものとする。ポケット部材６は、貯蔵室７の内壁面を形成する部材である樹脂製の内箱よりも熱伝導率の高い材料、例えばアルミニウム等の金属で構成されている。このため、ポケット部材６は冷却板として機能する。
【００１６】
ここでは、隔壁９の下方の空間が貯蔵室７となる。図５に示すように、冷蔵庫本体５は、後壁５ｅの下部において、前方（図５中で左側）に向けて膨出する膨出部１７が形成されている。膨出部１７は、下壁５ｂの後端から立ち上がる縦壁１７ａと、縦壁１７ａの上端から後方に向けて屈曲する水平な横壁１７ｂとを備える。
【００１７】
貯蔵室７は、膨出部１７の上方に形成される後方貯蔵室７Ｒと、後方貯蔵室７Ｒ及び膨出部１７の前方に形成される前方貯蔵室７Ｆとで構成されている。前方貯蔵室Ｆは、図５のように閉じた状態の扉３の内面３ａと、膨出部１７及び後方貯蔵室７Ｒの前面との間に形成される縦長のほぼ直方体形状である。
【００１８】
縦壁１７ａと横壁１７ｂとに囲まれた、冷蔵庫本体５の下部後方の外側の領域は、機械室１９を構成しており、機械室１９に圧縮機２１を配置している。圧縮機２１は、下壁５ｂの下面及び機械室１９を下方から覆っている底板２３の上に固定している。圧縮機２１で圧縮した冷媒は、機械室１９内に設けた図示しない凝縮器を経て、前述した冷却器１１に送られる。圧縮機２１、凝縮器及び冷却器１１等は図示しない冷媒配管で接続される。
【００１９】
横壁１７ｂの上方における後壁５ｅの左右方向中央には、前方に向けて突出する突出部２５が形成されている。突出部２５の裏側の空間に、図５に示す配管１５が配置される。図２に示すように、左右方向中央より右側において、縦壁１７ａと横壁１７ｂとの境界部分の角部には、傾斜面部２７が形成されている。傾斜面部２７は、突出部２５の右側縁部付近と右側壁５ｄとの間に、複数（ここでは３箇所）設けてある。
【００２０】
図２、図３に示すように、右側壁５ｄの貯蔵室７側の内面には、前後方向に延在する上リブ２９が形成されている。上リブ２９は、横壁１７ｂの上面において後壁５ｅから開口部７ａ付近まで形成されている。上リブ２９の下方には、前後方向に延在する下リブ３１が形成されている。下リブ３１は、縦壁１７ａから開口部７ａ付近まで形成され、下リブ３１と上リブ２９との間に隙間３３が形成されている。
【００２１】
冷蔵庫１には、図６、図７に示す棚部材３５が適用される。図２〜図４は、棚部材３５を棚として使用しない不使用状態を示す。これに対して図８〜図１０は、棚部材３５を棚として使用する使用状態を示す。
【００２２】
棚部材３５は、貯蔵物を載せる棚部３７と、使用状態で棚部３７を水平に保持する２本の脚部３９，４１とを備える。棚部３７と脚部３９，４１とは９０度の角度で屈曲している。棚部３７は、図９に示すように、使用状態で水平面となる板状の棚面３７ａを備え、棚面３７ａの周縁には、脚部３９，４１側に屈曲したフランジ３７ｂ，３７ｃ，３７ｄ，３７ｅが形成されている。棚面３７ａと、フランジ３７ｂ，３７ｃ，３７ｄ，３７ｅとの境界部分は、棚面３７ａの表側（図６中で右側、図７中で上側）が凸となるような曲面形状となっている。
【００２３】
脚部３９，４１は、フランジ３７ｃ，３７ｄとフランジ３７ｅとの境界部分から連続するように、棚面３７ａから離れる方向に延出しており、図６中で下側（図７中で左側）が凸となるような曲面形状となっている。一方の脚部３９は、フランジ３７ｃ，３７ｅから連続するように形成され、他方の脚部４１は、フランジ３７ｄ，３７ｅから連続するように形成されている。フランジ３７ｃと脚部３９との間及び、フランジ３７ｄと脚部４１との間には、三角形状の補強部４３，４５が形成されている。
【００２４】
ここで、棚面３７ａの長さＢは、脚部３９，４１の長さＣよりも短い（Ｂ＜Ｃ）。棚面３７ａの長さＢは、図３の不使用状態で示すように、貯蔵室７の底面７ｂと横壁１７ｂの上面との間の上下方向の間隔（縦壁１７ａの上下方向の長さ）よりも短く、棚面３７ａは下リブ３１の下方に位置する。この場合、底面７ｂと下リブ３１との間隔Ｄが、棚面３７ａの長さＢよりも大きい（Ｄ＞Ｂ）。
【００２５】
このため、図２、図３に示すように、棚部材３５は、棚面３７ａを右側壁５ｄの内面にほぼ当接させた状態で、下リブ３１と底面７ｂとの間に配置して、不使用状態とすることができる。このとき、脚部３９，４１は底面７ｂに載置された状態となる。
【００２６】
一方、脚部３９，４１の長さＣは、底面７ｂと下リブ３１との間隔Ｄよりも大きい（Ｃ＞Ｄ）。このため、脚部３９，４１を底面７ｂと下リブ３１との間に配置することはできない。したがって、貯蔵室７内において棚部材３５を不使用状態とする際に、脚部３９，４１を右側壁５ｄの内面にほぼ当接させるような誤配置を抑制できる。なお、図４に示すように、棚部材３５の幅Ｅは、縦壁１７ａと、底面７ｂの前縁との間隔Ｆよりも小さい。
【００２７】
図１１〜図１３は、棚部材３５を図２〜図４のように不使用状態としたときに、貯蔵室７に貯蔵物を収納した状態を示す。横壁１７ｂの上方の後方貯蔵室７Ｒには、例えば３５０ｍＬ入りの缶４７を９本収納できる。一方、底面７ｂの上方の前方貯蔵室７Ｆには、例えば図１１中で左側から２Ｌ入りのペットボトル４９を１本、１Ｌ入りの紙パック５１を１本、５００ｍＬ入りのペットボトル５３を２本、それぞれ収納できる。このとき、図１３に示すように、２本のペットボトル５３の全体及び、紙パック５１の右側の端部は、棚部材３５の脚部３９，４１相互間に位置する。
【００２８】
図８〜図１０に示すように、棚部材３５は、使用状態で棚面３７ａを水平状態とする。このとき、棚面３７ａの上面は、横壁１７ｂの上面とほぼ同一面となる。したがって、脚部３９，４１の長さＣは、底面７ｂと横壁１７ｂの上面との間隔とほぼ等しい。使用状態での棚部材３５は、脚部３９，４１と反対側に位置するフランジ３７ｂを有する端部が、上リブ２９と下リブ３１との間の隙間３３に挿入される。このとき、脚部３９，４１の下端が底面７ｂに当接する。これにより棚部材３５は、棚面３７ａが水平面となる使用状態を確保できる。
【００２９】
使用状態での棚部材３５は、棚面３７ａが３箇所の傾斜面部２７の前方に位置し、複数の傾斜面部２７相互間に形成される突起部５５の前面の上端付近にほぼ当接する。突起部５５の前面は、縦壁１７ａの前面と同一面である。このため、棚面３７ａと傾斜面部２７との間に隙間が形成される。当該隙間は、横壁１７ｂの上方の空間（後方貯蔵室７Ｒ）と、棚面３７ａの下方の空間（前方貯蔵室７Ｆ）とを連通する。
【００３０】
これにより、冷却器１１の後方冷気放出口１１ａから放出される冷気が、上記した隙間を通して棚面３７ａの下方の空間に流れ込む。棚面３７ａの下方の空間と、棚部材３５の左側の空間との間は、脚部３９，４１相互間を通して冷気の流通がなされる。
【００３１】
図１４〜図１６は、棚部材３５を図８〜図１０のように使用状態としたときに、貯蔵室７に貯蔵物を収納した状態を示す。横壁１７ｂの上方の後方貯蔵室７Ｒの左右方向中央より左側のほぼ半分には、例えば３５０ｍＬ入りの缶４７を４本収納できる。横壁１７ｂの上方の後方貯蔵室７Ｒの左右方向中央より右側のほぼ半分及び、棚部材３５の棚面３７ａ上の前方貯蔵室７Ｆに、例えば箱詰めされたお土産５７を収納できる。
【００３２】
底面７ｂ上の前方貯蔵室７Ｆには、例えば図１４中で左側から２Ｌ入りのペットボトル４９を１本、５００ｍＬ入りのペットボトル５３を１本、５００ｍＬ入りの缶５９を２本、それぞれ収納できる。２本の５００ｍＬ入りの缶５９は、棚面３７ａの下方の空間に収納される。
【００３３】
図５に示すように、横壁１７ｂより上方の後壁５ｅと開口部７ａとの間の前後方向の間隔Ｇは、例えば２７０ｍｍで、縦壁１７ａと開口部７ａとの間の前後方向の間隔Ｈは、例えば１２０ｍｍである。したがって、間隔Ｈは間隔Ｇの４５％程度となる。
【００３４】
図５に示すように、底面７ｂから横壁１７ｂの上面までの高さＪは、例えば１９０ｍｍで、横壁１７ｂの上面から間隔Ｈの前後方向ほぼ中央位置の隔壁９までの高さＫは、例えば１４０ｍｍである。したがって、間隔Ｈの前後方向ほぼ中央位置の底面７ｂから隔壁９までの前方貯蔵室７Ｆの高さＪ＋Ｋは、１９０ｍｍ＋１４０ｍｍ＝３３０ｍｍであり、２Ｌ入りのペットボトル４９を収納できる。この場合、高さＪ＋Ｋは間隔Ｇの１．２倍程度となる。
【００３５】
ここで、前方貯蔵室７Ｆは、少なくとも１Ｌの紙パック５１（幅約７０ｍｍ）が収納可能な間隔Ｈを有し、Ｈ＝７０〜１３０ｍｍ程度が望ましい。前方貯蔵室７Ｆは、少なくとも１Ｌの紙パック５１が収納可能な高さＪ＋Ｋ＝２４０ｍｍ以上あればよい。
後方貯蔵室７Ｒは、３５０ｍＬ入りの缶４７（高さ約１２０ｍｍ）を収納可能な高さがあればよい。後方貯蔵室７Ｒの前後方向の奥行は、棚使用時におけるお土産５７や、３５０ｍＬ入りの缶４７の６缶パックの収容性を考慮して、間隔Ｈと同等以上に確保することが望ましい（Ｇ≧２Ｈ）。
【００３６】
冷蔵庫１は、扉３に薄板状のポケット部材６を備えている。薄板状のポケット部材６は、貯蔵室７内に大きく突出することはなく、ポケット４を除く前方貯蔵室７Ｆの空間がポケット４によって狭くなるのを抑制できる。このため、貯蔵室７に大きく突出するような大きなポケットを備えている場合に、前方貯蔵室７Ｆに例えば２Ｌ入りのペットボトル４９を収納しようとすると、扉を閉じたときにポケットがペットボトル４９に干渉するのを避けるために、間隔Ｈを図５に示すものより大きくする必要があり、冷蔵庫の奥行寸法が大きくなってしまう。
【００３７】
これに対して本実施形態の冷蔵庫１は、扉３に薄板形状の小さなポケット４を備えていることから、前方貯蔵室７Ｆに例えば２Ｌ入りのペットボトル４９を収納する場合に、間隔Ｈを大きなポケットを備えている冷蔵庫よりも小さくできる。その結果、冷蔵庫１は、奥行寸法Ｌを小さくすることができ、薄型化が可能となる。
【００３８】
ホテルや病院など部屋はスペースに限りがあり、特にホテルにおけるベッドの占める空間容積が大きくなるに伴って、他の家具類、例えばデスクの奥行寸法を小さくする傾向にある。このような状況下で、デスクの下に冷蔵庫１を設置する場合には、より薄型化が要求される。本実施形態の冷蔵庫１は、より薄型化が可能であることから、上記した状況に対応できる。
【００３９】
次に、本実施形態の作用効果を説明する。
【００４０】
本実施形態は、冷蔵庫本体５に設けられる貯蔵室７と、貯蔵室７の開口部７ａを開閉する扉３と、貯蔵室７の外部の冷蔵庫本体５の後方下部に形成され、圧縮機２１が収容される機械室１９と、機械室１９に対応して貯蔵室７の前方に膨出する冷蔵庫本体５の膨出部１７とを有する。貯蔵室７は、膨出部１７の上方に形成される後方貯蔵室７Ｒと、後方貯蔵室７Ｒ及び膨出部１７の前方に形成される前方貯蔵室７Ｆとで構成される。前方貯蔵室７Ｆは、扉３の内面３ａと、膨出部１７及び後方貯蔵室７Ｒの前面との間に形成される縦長の直方体形状である。
【００４１】
このため、圧縮機２１を使用した冷蔵庫１であっても、薄型化を達成しながら、２Ｌ入りのペットボトル４９など、ある程度幅があり、かつ、高さが高い長尺の貯蔵物を、立てた状態で縦長の直方体形状の前方貯蔵室７Ｆに収納することができる。
【００４２】
本実施形態は、貯蔵室７の上部に冷却器１１が設けられ、冷却器１１の前方冷気放出口１１ｂが、前方貯蔵室７Ｆの扉３側に位置している。この場合、扉３に隣接している前方貯蔵室７Ｆに収納した２Ｌ入りのペットボトル４９等の貯蔵物の扉３側をより効果的に冷却することができ、ペットボトル４９等の貯蔵物全体を効率よく冷却することができる。
【００４３】
本実施形態は、扉３の内面３ａは、前方冷気放出口１１ｂから放出される冷気が流れる冷気流路面を備えている。この場合、前方冷気放出口１１ｂから放出される冷気が、扉３の内面３ａの冷気流路面に沿って流れるので、２Ｌ入りのペットボトル４９等の貯蔵物の扉３側をより確実に冷却することができる。
【００４４】
本実施形態の扉３は、その内面３ａと平行な薄板形状のポケット４を備えている。このため、前方貯蔵室７Ｆに２Ｌ入りのペットボトル４９等の貯蔵物を収納しながら、ポケット４に厚さの薄い貯蔵物を収納することができる。
【００４５】
本実施形態のポケット４を形成するポケット部材６は、貯蔵室７の内壁面を形成する部材よりも熱伝導率の高い材料で構成され、ポケット４の開口部４ａは、貯蔵室７の上部に設けられた冷却器１１の前方冷気放出口１１ｂの冷気放出方向に臨んでいる。
【００４６】
この場合、前方冷気放出口１１ｂから放出された冷気の一部は、開口部４ａからポケット４に流入してポケット部材６を冷却する。このためポケット部材６は、貯蔵室７側に流れる冷気と合わせて、表裏両面から効率よく冷却される。これにより、ポケット部材６を冷却板として利用することができ、ポケット４に収納した貯蔵物及び前方貯蔵室７Ｆに収納した貯蔵物をより効果的に冷却できる。
【００４７】
本実施形態は、前方貯蔵室７Ｆの左右方向右側のほぼ半分の領域に、貯蔵物を載せる棚部材３５が設けられる。図１４〜図１６に示すように、棚部材３５を使用した場合であっても、前方貯蔵室７Ｆに２Ｌ入りのペットボトル４９を収納することができる。
【００４８】
他の実施形態として、ポケット４を形成するポケット部材６は、貯蔵室７の内壁面を形成する部材に対し、熱伝導率が同等もしくは低い樹脂材料で構成される。樹脂製のポケット部材６によって形成されるポケット４の開口部４ａは、貯蔵室７の上部に設けられた冷却器１１の前方冷気放出口１１ｂから放出される冷気の流入が阻害される。
【００４９】
開口部４ａが前方冷気放出口１１ｂからの冷気の流入を阻害される構成としては、以下の構成例がある。一つの例は、開口部４ａに開閉可能な蓋を取り付ける。貯蔵物をポケット４に収納するときには、蓋を開放して行う。他の例は、ポケット４が上部に位置する開口部４ａに代えて、左右方向の少なくともいずれか一方の側部に位置する開口部を備える構成とする。これにより、前方冷気放出口１１ｂからの冷気が側部の開口部に直接流入することを抑えることができる。
【００５０】
樹脂製のポケット部材６は、冷却板として利用することを考慮していない。このため、開口部４ａが前方冷気放出口１１ｂからの冷気の流入を阻害されることで、冷気は、前方貯蔵室７Ｆに収納した貯蔵物に向けて流れやすくなり、当該貯蔵物をより確実に冷却することができる。
【００５１】
以上、本発明の実施形態について説明したが、これらの実施形態は本発明の理解を容易にするために記載された単なる例示に過ぎず、本発明は当該実施形態に限定されるものではない。本発明の技術的範囲は、上記実施形態で開示した具体的な技術事項に限らず、そこから容易に導きうる様々な変形、変更、代替技術なども含む。
【００５２】
例えば、貯蔵室７に収納する貯蔵物の種類及びレイアウトは、図１１〜図１３や図１４〜図１６に限るものではない。図５に示す間隔Ｇ，Ｈや高さＪ＋Ｋ等の寸法は、前記した数値に限るものではない。
【００５３】
棚部材３５は、使用状態及び不使用状態のいずれにおいても、図２、図８中で左右方向中央に対して左側に配置してもよい。このとき、上リブ２９、下リブ３１や傾斜面部２７は、棚部材３５の配置に対応して図２、図８中で左右方向中央に対して左側に形成する。
【符号の説明】
【００５４】
１  冷蔵庫
３  扉
３ａ  扉の内面
４  ポケット（貯蔵物収納空間）
４ａ  ポケットの開口部
５  冷蔵庫本体
６  ポケット部材（空間形成部材）
７  貯蔵室
７Ｆ  前方貯蔵室
７Ｒ  後方貯蔵室
７ａ  貯蔵室の開口部
１１  冷却器
１１ｂ  前方冷気放出口（冷気放出口）
１７  膨出部
１９  機械室
２１  圧縮機
３５  棚部材
【図１】
2019143827.tif 000003
【図２】
2019143827.tif 000004
【図３】
2019143827.tif 000005
【図４】
2019143827.tif 000006
【図５】
2019143827.tif 000007
【図６】
2019143827.tif 000008
【図７】
2019143827.tif 000009
【図８】
2019143827.tif 000010
【図９】
2019143827.tif 000011
【図１０】
2019143827.tif 000012
【図１１】
2019143827.tif 000013
【図１２】
2019143827.tif 000014
【図１３】
2019143827.tif 000015
【図１４】
2019143827.tif 000016
【図１５】
2019143827.tif 000017
【図１６】
2019143827.tif 000018